(57)【特許請求の範囲】
【請求項１】
室外機と室内機との間に形成された循環路を介して室外機で吸熱蒸発した気体の熱操作流体を室内機に送り、室内機で室内空気と熱交換して室内空気を加熱すると共に、室内機で室内空気と熱交換して放熱凝縮した液体の熱操作流体を室外機に戻す暖房運転可能な空調装置において、室内機の膨張弁開度を検出する膨張弁開度検出手段と、制御可能な最大開度に膨張弁の開度が所定時間に渡って固定された室内機の存在が前記膨張弁開度検出手段によって確認されたとき、一部または全ての室内機で放熱して凝縮する熱操作流体の設定過冷度を上げる制御手段と、を有することを特徴とする空調装置。
【請求項２】
室外機と室内機との間に形成された循環路を介して室外機で吸熱蒸発した気体の熱操作流体を室内機に送り、室内機で室内空気と熱交換して室内空気を加熱すると共に、室内機で室内空気と熱交換して放熱凝縮した液体の熱操作流体を室外機に戻す暖房運転可能な空調装置において、室内機の膨張弁開度を検出する膨張弁開度検出手段と、制御可能な最小開度に膨張弁の開度が所定時間に渡って固定された室内機の存在が前記膨張弁開度検出手段によって確認されたとき、一部または全ての室内機で放熱して凝縮する熱操作流体の設定過冷度を下げる制御手段と、を有することを特徴とする空調装置。
【請求項３】
室外機と室内機との間に形成された循環路を介して室外機で吸熱蒸発した気体の熱操作流体を室内機に送り、室内機で室内空気と熱交換して室内空気を加熱すると共に、室内機で室内空気と熱交換して放熱凝縮した液体の熱操作流体を室外機に戻す暖房運転可能な空調装置において、室外機で蒸発した熱操作流体の過熱度を検出する過熱度検出手段と、室内機の膨張弁開度を検出する膨張弁開度検出手段と、過熱度検出手段が検出した熱操作流体の過熱度と膨張弁開度検出手段が検出した室内機の膨張弁開度とに基づいて、室内機で放熱して凝縮する熱操作流体の設定過冷度を変更する制御手段と、を有することを特徴とする空調装置。
【請求項４】
過熱度検出手段が検出する熱操作流体の過熱度が所定値より高く、且つ、膨張弁が所定開度より小さい開度に所定時間に渡って制御された室内機の存在が膨張弁開度検出手段によって確認されたとき、制御手段が一部または全ての室内機で放熱して凝縮する熱操作流体の設定過冷度を下げる機能を有することを特徴とする請求項３記載の空調装置。
【請求項５】
過熱度検出手段が検出する熱操作流体の過熱度が所定値より低く、且つ、膨張弁が所定開度より大きい開度に所定時間に渡って制御された室内機の存在が膨張弁開度検出手段によって確認されたとき、制御手段が一部または全ての室内機で放熱して凝縮する熱操作流体の設定過冷度を上げる機能を有することを特徴とする請求項３記載の空調装置。
【請求項６】
室外機に吸収冷凍機が使用されたことを特徴とする請求項１〜５何れかに記載の空調装置。
【発明の詳細な説明】
【０００１】
【発明の属する技術分野】
本発明は、暖房運転可能な空調装置に関するものである。
【０００２】
【従来の技術】
室外機に吸収冷凍機を使用し、この室外機で発生させる温熱を利用して加熱蒸発させた気体の熱操作流体を室内機に循環供給して暖房を行う空調装置がある。
【０００３】
上記空調装置においては、循環供給された室内機で暖房作用を行い、この暖房作用時に放熱して凝縮する熱操作流体の設定過冷度を一定に設定し、室外機で加熱蒸発させる熱操作流体の過熱度に拘わらず、室内機の膨張弁は前記設定過冷度を目標に、流入させる熱操作流体の量を制御している。
【０００４】
【発明が解決しようとする課題】
しかし、室内機の運転状況、外気の状態によっては室外機で加熱蒸発させる熱操作流体の過熱度を一定にすることは難しく、したがって目標過冷度になるように室内機に流入させる熱操作流体の量を制御するのは困難であった。また、このことに起因して、熱操作流体の循環不良、室内機における暖房能力が不足するなどと云った問題点もあり、これら問題点の解決が課題となっていた。
【０００５】
【課題を解決するための手段】
本発明は上記従来技術の課題を解決するため、室外機と室内機との間に形成された循環路を介して室外機で吸熱蒸発した気体の熱操作流体を室内機に送り、室内機で室内空気と熱交換して室内空気を加熱すると共に、室内機で室内空気と熱交換して放熱凝縮した液体の熱操作流体を室外機に戻す暖房運転可能な空調装置において、
【０００６】
室内機の膨張弁開度を検出する膨張弁開度検出手段と、制御可能な最大開度に膨張弁の開度が所定時間に渡って固定された室内機の存在が前記膨張弁開度検出手段によって確認されたとき、一部または全ての室内機で放熱して凝縮する熱操作流体の設定過冷度を上げる制御手段と、を有するようにした第１の構成の空調装置と、
【０００７】
室内機の膨張弁開度を検出する膨張弁開度検出手段と、制御可能な最小開度に膨張弁の開度が所定時間に渡って固定された室内機の存在が前記膨張弁開度検出手段によって確認されたとき、一部または全ての室内機で放熱して凝縮する熱操作流体の設定過冷度を下げる制御手段と、を有するようにした第２の構成の空調装置と、
【０００８】
室外機で蒸発した熱操作流体の過熱度を検出する過熱度検出手段と、室内機の膨張弁開度を検出する膨張弁開度検出手段と、過熱度検出手段が検出した熱操作流体の過熱度と膨張弁開度検出手段が検出した室内機の膨張弁開度とに基づいて、室内機で放熱して凝縮する熱操作流体の設定過冷度を変更する制御手段と、を有するようにした第３の構成の空調装置と、
【０００９】
前記第３の構成の空調装置において、過熱度検出手段が検出する熱操作流体の過熱度が所定値より高く、且つ、膨張弁が所定開度より小さい開度に所定時間に渡って制御された室内機の存在が膨張弁開度検出手段によって確認されたとき、制御手段が一部または全ての室内機で放熱して凝縮する熱操作流体の設定過冷度を下げる機能を有するようにした第４の構成の空調装置と、
【００１０】
前記第３の構成の空調装置において、過熱度検出手段が検出する熱操作流体の過熱度が所定値より低く、且つ、膨張弁が所定開度より大きい開度に所定時間に渡って制御された室内機の存在が膨張弁開度検出手段によって確認されたとき、制御手段が一部または全ての室内機で放熱して凝縮する熱操作流体の設定過冷度を上げる機能を有するようにした第５の構成の空調装置と、
【００１１】
前記第１〜第５何れかの構成の空調装置において、室外機に吸収冷凍機を使用するようにした第６の構成の空調装置と、
を提供するものである。
【００１２】
【発明の実施の形態】
以下、本発明の一実施形態を図１に基づいて説明する。図１に示した冷暖房可能な空調装置は、例えばビルの屋上などに設置される室外機１０と、各階に分散して設置される複数の室内機２０と、地下室などの最も低い部分に設置され、暖房時に運転される揚液ポンプユニット３０と、これらを接続して循環時に相変化が可能な熱操作流体、例えば冷媒のＲ−１３４ａを循環させるための配管群４０と、これらの機器を制御する制御器５０とから構成されている。
【００１３】
図中、実線矢印は暖房運転時における冷媒の流れの方向を示し、破線矢印は冷房運転時における冷媒の流れの方向を示し、それぞれ太線によって冷媒液の流れ方向を示し、細線によって冷媒蒸気の流れ方向を示している。
【００１４】
室外機１０は、配管群４０を通って室内機２０から戻ってきた冷媒のＲ−１３４ａを加熱して蒸発させたり、冷却して凝縮させたりするための熱操作部１１、レシーバタンク１２、ポンプ１３などを備えて構成されている。
【００１５】
そして、熱操作部１１は例えば特開平７−３１８１８９号公報などに開示された吸収冷凍機の下胴からなるものであり、図示しないガスバーナなどで生成する熱を利用して駆動され、図示しない蒸発器に設けた伝熱管の管壁などを介して冷媒のＲ−１３４ａを加熱蒸発させた気体のＲ−１３４ａをガス管４１に供給したり、放熱凝縮させた液体のＲ−１３４ａをレシーバタンク１２、ポンプ１３が介在する液降下管４２に供給することが、適宜選択できるようになっている。
【００１６】
なお、液降下管４２の熱操作部１１とレシーバタンク１２とを連結している部分と、ポンプ１３の吐出側には、開閉弁１４、１５が設けられ、さらにレシーバタンク１２の上部とガス管４１とは、途中に開閉弁１６を備えた均圧管１７を介して連結されている。
【００１７】
また、レシーバタンク１２には液面センサ１２Ａ、１２Ｂが上下二箇所に設けられ、タンクに溜まっている液体のＲ−１３４ａの液面が液面センサ１２Ａの取り付け位置より低いのか、液面センサ１２Ｂの取り付け位置より高いのか、液面センサ１２Ａと１２Ｂとの間に位置しているのかが検出できるようになっている。
【００１８】
さらに、ガス管４１の熱操作部１１側には温度センサ１８Ａと圧力センサ１８Ｂとが設けられて、熱操作部１１で吸熱蒸発してガス管４１に流れ出た気体のＲ−１３４ａの温度と圧力とが検出できるようになっている。また、液降下管４２の熱操作部１１側には温度センサ１９が設けられて、熱操作部１１で放熱凝縮して液降下管４２に流れ出た液体のＲ−１３４ａの温度が検出できるようにもなっている。
【００１９】
室内機２０は、冷媒のＲ−１３４ａが図示しない送風機によって送られる室内空気と熱交換するための熱交換器２１と、膨張弁２２などを備えて構成され、熱交換器２１の膨張弁２２が設けられた側が液降下管４２に連結されている液水平管４３に連結され、その反対側がガス管４１に連結されている。
【００２０】
また、熱交換器２１の出入口に臨んだ部位と、熱交換器２１の略中間部には温度センサ２３、２４、２５が設けられて、管内を流れている冷媒のＲ−１３４ａの温度が検出できるようになっている。
【００２１】
また、この場合の膨張弁２２は、例えば６０〜４８０のパルスにより駆動するステッピングモータ２６によって多段階に開度調整され、且つ、その開度が制御器５０に送信されるようになっている。
【００２２】
揚液ポンプユニット３０は、レシーバタンク３１と、その下流側に設けられたポンプ３２とから構成され、液降下管４２と液上昇管４４の下端部に図示したよう接続されている。すなわち、液降下管４２の下端部がレシーバタンク３１を介してポンプ３２の吸込み側に連結され、上端部が熱操作部１１に連結されている液上昇管４４の下端部がポンプ３２の吐出側に連結されている。
【００２３】
なお、レシーバタンク３１には液面センサ３１Ａ、３１Ｂが上下二箇所に設けられ、タンクに溜まっている液体のＲ−１３４ａの液面が液面センサ３１Ａの取り付け位置より低いのか、液面センサ３１Ｂの取り付け位置より高いのか、液面センサ３１Ａと３１Ｂとの間に位置しているのかが検出できるようになっている。
【００２４】
制御器５０は、図示しないパネル面に設けたボタンスイッチなどにより冷暖房運転の切換指示などが行えるように構成されている。そして、例えば冷房運転が指示されると、室外機１０の熱操作部１１で冷却する冷媒のＲ−１３４ａが所定の低温度、例えば７℃の液体となって液下降管４２に流れ出るようにするための所要の制御プログラムを制御器５０は備えている。
【００２５】
すなわち、冷房運転が指示されたときには開閉弁１４、１５、１６は開弁され、熱操作部１１における冷媒のＲ−１３４ａに対する冷却は、温度センサ１９が計測する冷媒のＲ−１３４ａの温度が所定の７℃になるように制御される。
【００２６】
そして、熱操作部１１で所定の温度に冷却され、凝縮して液下降管４２に流れ出た液体のＲ−１３４ａは、その自重（詳細には液体と気体との比重差）によりレシーバタンク１２に流れ込み、上側に設置された液面センサ１２Ｂが液体のＲ−１３４ａを検出するとポンプ１３の運転を開始して液体のＲ−１３４ａを液下降管４２と液水平管４３とを介して各階に分散設置された室内機２０に供給し、下側に設置された液面センサ１２Ａが液体のＲ−１３４ａを検出しなくなるとポンプ１３の運転を停止するように制御される。
【００２７】
各室内機２０の膨張弁２２の開度は、例えば温度センサ２４と２５が検出する冷媒のＲ−１３４ａの温度差が所定の温度差、例えば３℃となるように制御器５０によって制御されており、このように開度が制御される膨張弁２２を通って熱交換器２１に流入した液体のＲ−１３４ａが図示しない送風機によって供給される温度の高い室内空気から熱を奪って蒸発し冷房作用を行う。
【００２８】
そして、この冷房作用によって蒸発した気体のＲ−１３４ａは、Ｒ−１３４ａが凝縮して圧力が低くなっている室外機１０にガス管４１を介して戻される。
【００２９】
また、制御器５０は、暖房運転が指示されたときには室外機１０の熱操作部１１で加熱する冷媒のＲ−１３４ａが所定の高温度、例えば５５℃の気体となってガス管４１に流れ出るようにするためと、揚液ポンプユニット３０のポンプ３２を起動してレシーバタンク３１に溜まっている液体のＲ−１３４ａを室外機１０に戻すための所要の制御プログラムも備えている。
【００３０】
すなわち、暖房運転が指示されたときには開閉弁１４、１５、１６は閉弁され、熱操作部１１における冷媒のＲ−１３４ａに対する加熱は、温度センサ１８Ａが計測するＲ−１３４ａの温度が所定の５５℃になるように制御される。
【００３１】
そして、室外機１０の熱操作部１１で加熱され、蒸発してガス管４１に流れ出た気体のＲ−１３４ａは各室内機２０に供給される。
【００３２】
各室内機２０においては、図示しない送風機によって供給される温度の低い室内空気に気体のＲ−１３４ａが熱交換器２１の図示しない伝熱管壁を介して放熱凝縮し、主にＲ−１３４ａの凝縮熱によって暖房作用を行なう。
【００３３】
この場合、室内機２０の膨張弁２２の開度は、熱交換器２１で室内空気に放熱して凝縮した冷媒のＲ−１３４ａの過冷度、例えば温度センサ２４が検出する液体のＲ−１３４ａの温度Ｔ24と、温度センサ２３が検出する液体のＲ−１３４ａの温度Ｔ23との差（Ｔ24−Ｔ23）が所定の温度（以下、この温度を設定過冷度と云う）となるように制御される。
【００３４】
また、この設定過冷度は、室外機１０で加熱されて蒸発した冷媒のＲ−１３４ａの過熱度、すなわち温度センサ１８Ａが検出した気体のＲ−１３４ａの温度ＴA と圧力センサ１８Ｂが検出した気体のＲ−１３４ａの圧力から求めた飽和温度ＴB との差（ＴA −ＴB ）と、室内機２０の膨張弁２２の開度とに基づいて、制御器５０により変更されるようになっている。
【００３５】
例えば、起動し運転している全ての室内機２０が７℃を標準設定過冷度として膨張弁２２の開度を制御している装置において、室外機１０で蒸発した冷媒のＲ−１３４ａの過熱度が所定の例えば５℃より高く、且つ、膨張弁２２の開度が所定の小さな開度、すなわちステッピングモータ２６を駆動するパルス数が例えば２５０パルス以下に制限された時間が所定時間、例えば５分以上経過した室内機２０が存在するときには、制御器５０は一部または全ての室内機２０で放熱して凝縮する冷媒のＲ−１３４ａの設定過冷度を、例えば１℃下げて６℃とするように制御する。
【００３６】
設定過冷度が１℃下げられた室内機２０においては、温度センサ２４が検出する冷媒のＲ−１３４ａの温度Ｔ24と、温度センサ２３が検出する冷媒のＲ−１３４ａの温度Ｔ23との温度差（Ｔ24−Ｔ23）を１℃だけ縮小するように、制御器５０からの制御信号を受けたステッピングモータ２６によって膨張弁２２の開度はさらに大きく開けられ、熱交換器２１を流れる冷媒のＲ−１３４ａの量は増加する。
【００３７】
したがって、冷媒のＲ−１３４ａが不足し、Ｒ−１３４ａの過熱が所定の状態を超えて進行している室外機１０には、液体のＲ−１３４ａが室内機２０からそれまでより多く戻されるので、室外機１０で加熱して蒸発させる冷媒のＲ−１３４ａの著しい過熱状態は速やかに解消する。
【００３８】
また、制御器５０は、室外機１０で蒸発した冷媒のＲ−１３４ａの過熱度が所定の３℃より低く、且つ、膨張弁２２の開度が所定の大きな開度、例えばステッピングモータ２６を駆動するパルス数が４００パルス以上となっていた時間が所定時間、例えば５分以上経過した室内機２０が存在するときには、一部または全ての室内機２０で放熱して凝縮する冷媒のＲ−１３４ａの設定過冷度を、例えば１℃上げて８℃とするように制御する。
【００３９】
設定過冷度が１℃上げられた室内機２０においては、温度センサ２４が検出する冷媒のＲ−１３４ａの温度Ｔ24と、温度センサ２３が検出する冷媒のＲ−１３４ａの温度Ｔ23との温度差（Ｔ24−Ｔ23）を１℃だけ拡大するように、制御器５０からの制御信号を受けたステッピングモータ２６によって膨張弁２２の開度が少し絞られ、熱交換器２１を流れる冷媒のＲ−１３４ａの量は減少する。
【００４０】
したがって、冷媒のＲ−１３４ａが過剰気味で、Ｒ−１３４ａが所定の過熱状態に至っていない室外機１０には、それまでより少ない量の液体のＲ−１３４ａが室内機２０から戻されるので、室外機１０で加熱して蒸発させる冷媒のＲ−１３４ａは所定の過熱状態に速やかに戻る。
【００４１】
また、制御器５０は、膨張弁２２が制御可能な最大開度、すなわちステッピングモータ２６を駆動するステップ数が最大の４８０ステップとなっていた時間が所定の５分を経過した室内機２０が存在するときには、室外機１０で蒸発した冷媒のＲ−１３４ａの過熱度の如何に拘わらず、一部または全ての室内機２０で放熱して凝縮する冷媒のＲ−１３４ａの設定過冷度を１℃上げて６℃とする。
【００４２】
この場合も、設定過冷度が１℃上げられた室内機２０においては、温度センサ２４が検出する冷媒のＲ−１３４ａの温度Ｔ24と、温度センサ２３が検出する冷媒のＲ−１３４ａの温度Ｔ23との温度差（Ｔ24−Ｔ23）を１℃だけ拡大するように、膨張弁２２の開度はステッピングモータ２６によって少し絞られ、熱交換器２１を流れる冷媒のＲ−１３４ａの量を減少させるので、制御可能な最大開度に所定時間に渡って固定されている膨張弁２２に流れ込む冷媒のＲ−１３４ａの量が増加し、制御可能な最大開度に膨張弁２２が制御されても暖房能力が不足していた室内機２０の暖房能力が向上する。
【００４３】
また、制御器５０は、膨張弁２２が制御可能な最小開度、すなわちステッピングモータ２６を駆動するステップ数が最低の６０ステップとなっていた時間が所定の５分を経過した室内機２０が存在するときには、室外機１０で蒸発した冷媒のＲ−１３４ａの過熱度の如何に拘わらず、一部または全ての室内機２０で放熱して凝縮する冷媒のＲ−１３４ａの設定過冷度を１℃下げて５℃とする。
【００４４】
この場合も、設定過冷度が１℃下げられた室内機２０においては、温度センサ２４が検出する冷媒のＲ−１３４ａの温度Ｔ24と、温度センサ２３が検出する冷媒のＲ−１３４ａの温度Ｔ23との温度差（Ｔ24−Ｔ23）を１℃だけ縮小するように、膨張弁２２の開度はさらに少し開けられ、熱交換器２１を流れる冷媒のＲ−１３４ａの量を増加させるので、制御可能な最小開度に所定時間に渡って固定されている膨張弁２２に流れ込む量が減少し、制御可能な最小開度に膨張弁２２が制御されても暖房能力が過剰であった室内機２０の暖房能力が落とされる。
【００４５】
なお、制御可能な最大開度に開弁された膨張弁２２を有する室内機２０と、制御可能な最小開度に開弁された膨張弁２２を有する室内機２０とが同時に存在するときには、制御器５０は室内機２０で放熱して凝縮する冷媒のＲ−１３４ａの設定過冷度を変更しないようになっている。
【００４６】
また、揚液ポンプユニット３０のポンプ３２は、上側に設置された液面センサ３１Ｂが液体のＲ−１３４ａを検出すると運転を開始し、下側に設置された液面センサ３１Ａが液体のＲ−１３４ａを検出しなくなると運転を停止するように制御器５０により制御される。
【００４７】
なお、本発明は上記実施形態に限定されるものではないので、特許請求の範囲に記載の趣旨から逸脱しない範囲で各種の変形実施が可能である。
【００４８】
例えば、制御器５０は、室内機２０で室内空気に放熱して凝縮する冷媒のＲ−１３４ａの過冷度を、温度センサ２５が検出する冷媒のＲ−１３４ａの温度Ｔ25と、温度センサ２４が検出する冷媒のＲ−１３４ａの温度Ｔ24との温度差（Ｔ25−Ｔ24）、または温度センサ２５が検出する冷媒のＲ−１３４ａの温度Ｔ25と、温度センサ２３が検出する冷媒のＲ−１３４ａの温度Ｔ23との温度差（Ｔ25−Ｔ23）として求めて制御するようにすることもできる。
【００４９】
また、ポンプ１３を設置せず、冷房運転時には冷媒のＲ−１３４ａの液体と気体の比重差を利用して循環させるものであっても良いし、液降下管４２も設けないで、暖房運転専用の空調装置とすることもできる。
【００５０】
また、制御器５０は、室外機１０に設置されて室外機１０を制御する室外機制御器と、室内機２０に設置されて室内機２０を制御する室内機制御器と、管理室などに設置されて室外機制御器および室内機制御器と通信し、全体を制御するシステム制御器とからなるように構成することもできる。
【００５１】
また、室外機１０と室内機２０との間で循環させる流体としては、Ｒ−１３４ａの他にもＲ−４０７ｃ、Ｒ−４０４Ａ、Ｒ−４１０ｃなどの他の相変化可能なものであっても良い。
【００５２】
【発明の効果】
以上説明したように、制御可能な最大開度に膨張弁の開度が所定時間に渡って固定された室内機の存在が確認されたときに、一部または全ての室内機で放熱して凝縮する熱操作流体の設定過冷度を上げる制御手段を備えるようにした請求項１の発明によれば、制御可能な最大開度に膨張弁が制御されても暖房能力が不足していた室内機の暖房能力を向上させることができる。
【００５３】
また、制御可能な最小開度に膨張弁の開度が所定時間に渡って固定された室内機の存在が確認されたときに、一部または全ての室内機で放熱して凝縮する熱操作流体の設定過冷度を下げる制御手段を備えるようにした請求項２の発明によれば、制御可能な最小開度に膨張弁が制御されても暖房能力が過剰となっていた室内機の暖房能力を抑えることができる。
【００５４】
また、室外機で加熱して蒸発させた熱操作流体の過熱度が所定値より高く、且つ、膨張弁が所定開度より小さい開度に所定時間に渡って制御された室内機の存在が膨張弁開度検出手段によって確認されたとき、一部または全ての室内機で放熱して凝縮する熱操作流体の設定過冷度を下げる機能を有する制御手段を備えるようにした請求項３および４の発明によれば、熱操作流体が不足し、熱操作流体の過熱が所定の状態を超えて進行している室外機には、液体の熱操作流体が室内機からそれまでより多く戻されるので、室外機で加熱して蒸発させる熱操作流体の著しい過熱状態は速やかに解消する。
【００５５】
また、室外機で加熱して蒸発させた熱操作流体の過熱度が所定値より低く、且つ、膨張弁が所定開度より大きい開度に所定時間に渡って制御された室内機の存在が膨張弁開度検出手段によって確認されたとき、一部または全ての室内機で放熱して凝縮する熱操作流体の設定過冷度を上げる機能を有する制御手段を備えるようにした請求項３および５の発明によれば、熱操作流体が過剰気味で、熱操作流体が所定の過熱状態になっていない室外機には、それまでより少ない量の液体の熱操作流体が室内機から戻されるので、室外機で加熱して蒸発させる熱操作流体は所定の過熱状態に速やかに戻る。
【図面の簡単な説明】
【図１】本発明の一実施形態を示す説明図である。
【符号の説明】
１０  室外機
１１  熱操作部
１２  レシーバタンク
１２Ａ、１２Ｂ  液面センサ
１３  ポンプ
１４、１５、１６  開閉弁
１７  均圧管
１８Ａ  温度センサ
１８Ｂ  圧力センサ
１９  温度センサ
２０  室内機
２１  熱交換器
２２  膨張弁
２３、２４、２５  温度センサ
２６  ステッピングモータ
３０  揚液ポンプユニット
３１  レシーバタンク
３１Ａ、３１Ｂ  液面センサ
３２  ポンプ
４０  配管群
４１  ガス管
４２  液降下管
４３  液水平管
４４  液上昇管
５０  制御器
【図１】
0004183347.tif 000002